(57)【要約】【課題】小口金の入出金を管理者のみではなく担当者にも行わせることを可能とする。【解決手段】小口金の入出金が許可される担当者の識別情報を記憶している記憶部と、小口金の入出金を行おうとする担当者の識別情報を取得する取得部と、前記記憶部によって記憶されている担当者の識別情報と前記取得部によって取得された担当者の識別情報とが一致する場合、前記小口金の入出金を行おうとする担当者による小口金の入出金を許可する制御部と、を備える、現金処理装置が提供される。【選択図】図１
2018206056.tif 000002
【特許請求の範囲】
【請求項１】
小口金の入出金が許可される担当者の識別情報を記憶している記憶部と、
小口金の入出金を行おうとする担当者の識別情報を取得する取得部と、
前記記憶部によって記憶されている担当者の識別情報と前記取得部によって取得された担当者の識別情報とが一致する場合、前記小口金の入出金を行おうとする担当者による小口金の入出金を許可する制御部と、
を備える、現金処理装置。
【請求項２】
前記制御部は、
前記記憶部によって記憶されている担当者の識別情報と前記取得部によって取得された担当者の識別情報とが一致しない場合、前記小口金の入出金を行おうとする担当者による小口金の入出金を禁止する、
請求項１に記載の現金処理装置。
【請求項３】
前記現金処理装置は、
管理者によって入力された識別情報を受け付ける操作部を備え、
前記制御部は、前記操作部によって受け付けられた前記識別情報を前記小口金の入出金が許可される担当者の識別情報として前記記憶部に記憶させる、
請求項１に記載の現金処理装置。
【請求項４】
前記記憶部は、前記小口金の入出金が許可される担当者が出金可能な小口金の限度額を記憶しており、
前記制御部は、前記小口金の入出金を行おうとする担当者による小口金の出金を当該担当者による小口金の出金額が前記限度額に達するまで許可する、
請求項１に記載の現金処理装置。
【請求項５】
前記記憶部は、前記小口金の入出金が許可される担当者ごとに限度額を記憶しており、
前記制御部は、前記小口金の入出金を行おうとする担当者による小口金の出金を当該担当者による小口金の出金額が当該担当者の限度額に達するまで許可する、
請求項４に記載の現金処理装置。
【請求項６】
前記記憶部は、前記小口金の入出金が許可される担当者が所定の期間内に出金可能な小口金の限度額を記憶しており、
前記制御部は、前記小口金の入出金を行おうとする担当者による小口金の出金を前記所定の期間における当該担当者による小口金の出金額が前記限度額に達するまで許可する、
請求項４に記載の現金処理装置。
【請求項７】
前記制御部は、前記小口金の入出金を行おうとする担当者による小口金の入金が過去に行われた場合、前記入金に相当する額の出金がなかったとした場合における前記出金額が前記限度額に達したか否かを判断する、
請求項６に記載の現金処理装置。
【請求項８】
前記制御部は、小口金の出金額から入金額を減じて得られる小口金の減分を算出する、
請求項１に記載の現金処理装置。
【請求項９】
前記制御部は、前記小口金の減分を売上額から差し引くことによって回収予定金額を算出する、
請求項８に記載の現金処理装置。
【請求項１０】
前記制御部は、前記小口金の減分が前記売上額以下である場合、前記小口金の減分を売上額から差し引くことによって回収予定金額を算出する、
請求項８に記載の現金処理装置。
【請求項１１】
前記制御部は、前記小口金の減分が前記売上額より大きい場合、前記回収予定金額をゼロにするとともに、前記小口金の減分のうち前記売上額を上回る額を釣銭準備金の金額から差し引く、
請求項１０に記載の現金処理装置。
【発明の詳細な説明】
【技術分野】
【０００１】
本発明は、現金処理装置に関する。
【背景技術】
【０００２】
近年、小売店やスーパーマーケットなどの流通施設および商業施設において、釣銭準備金（以下、単に「準備金」とも言う。）の入出金処理を行う現金処理装置が設置されている。かかる準備金に対する入出金は、特定の担当者に対してのみ許可されるのが一般的である。例えば、準備金に対する入出金を行おうとする担当者によってカードが挿入されると、挿入されたカードから識別情報を読み取り、読み取った識別情報に基づいて、その担当者に対して準備金に対する入出金が許可されているか否かを判断する技術が開示されている（例えば、特許文献１参照）。
【０００３】
ここで、準備金に対する入金額から出金額を減じた分は、売上金の金額（以下、「売上額」とも言う。）として算出される。一方、現金処理装置に対して、売上とは関係のない目的（例えば、店舗内における必要経費など）で入出金が行われる場合も想定される。店舗内における必要経費としては、新聞代および備品などのような様々な経費が存在し得る。このとき、売上とは関係のない目的で、準備金に対して入出金を行ってしまうと、売上額を正確に算出することができなくなる。したがって、現金処理装置においては、準備金以外に小口金が管理されており、売上とは関係のない目的での入出金は、小口金に対して行われる。
【先行技術文献】
【特許文献】
【０００４】
【特許文献１】特開２００５−３８０６２号公報
【発明の概要】
【発明が解決しようとする課題】
【０００５】
しかし、小口金の入出金は、流通施設および商業施設などの管理者のみが行うことが可能であり、流通施設および商業施設などおいて準備金に対する入出金を行う担当者が行うことはできないのが一般的である。
【０００６】
そこで、本発明は、上記問題に鑑みてなされたものであり、本発明の目的とするところは、小口金の入出金を管理者のみではなく担当者にも行わせることが可能な、新規かつ改良された現金処理装置を提供することにある。
【課題を解決するための手段】
【０００７】
上記課題を解決するために、本発明のある観点によれば、小口金の入出金が許可される担当者の識別情報を記憶している記憶部と、小口金の入出金を行おうとする担当者の識別情報を取得する取得部と、前記記憶部によって記憶されている担当者の識別情報と前記取得部によって取得された担当者の識別情報とが一致する場合、前記小口金の入出金を行おうとする担当者による小口金の入出金を許可する制御部と、を備える、現金処理装置が提供される。
【０００８】
前記制御部は、前記記憶部によって記憶されている担当者の識別情報と前記取得部によって取得された担当者の識別情報とが一致しない場合、前記小口金の入出金を行おうとする担当者による小口金の入出金を禁止してもよい。
【０００９】
前記現金処理装置は、管理者によって入力された識別情報を受け付ける操作部を備え、前記制御部は、前記操作部によって受け付けられた前記識別情報を前記小口金の入出金が許可される担当者の識別情報として前記記憶部に記憶させてもよい。
【００１０】
前記記憶部は、前記小口金の入出金が許可される担当者が出金可能な小口金の限度額を記憶しており、前記制御部は、前記小口金の入出金を行おうとする担当者による小口金の出金を当該担当者による小口金の出金額が前記限度額に達するまで許可してもよい。
【００１１】
前記記憶部は、前記小口金の入出金が許可される担当者ごとに限度額を記憶しており、前記制御部は、前記小口金の入出金を行おうとする担当者による小口金の出金を当該担当者による小口金の出金額が当該担当者の限度額に達するまで許可してもよい。
【００１２】
前記記憶部は、前記小口金の入出金が許可される担当者が所定の期間内に出金可能な小口金の限度額を記憶しており、前記制御部は、前記小口金の入出金を行おうとする担当者による小口金の出金を前記所定の期間における当該担当者による小口金の出金額が前記限度額に達するまで許可してもよい。
【００１３】
前記制御部は、前記小口金の入出金を行おうとする担当者による小口金の入金が過去に行われた場合、前記入金に相当する額の出金がなかったとした場合における前記出金額が前記限度額に達したか否かを判断してもよい。
【００１４】
前記制御部は、小口金の出金額から入金額を減じて得られる小口金の減分を算出してもよい。
【００１５】
前記制御部は、前記小口金の減分を売上額から差し引くことによって回収予定金額を算出してもよい。
【００１６】
前記制御部は、前記小口金の減分が前記売上額以下である場合、前記小口金の減分を売上額から差し引くことによって回収予定金額を算出してもよい。
【００１７】
前記制御部は、前記小口金の減分が前記売上額より大きい場合、前記回収予定金額をゼロにするとともに、前記小口金の減分のうち前記売上額を上回る額を釣銭準備金の金額から差し引いてもよい。
【発明の効果】
【００１８】
以上説明したように本発明によれば、小口金の入出金を管理者のみではなく担当者にも行わせることが可能である。
【図面の簡単な説明】
【００１９】
【図１】本発明の実施形態に係る現金処理装置の構成を示す説明図である。
【図２】操作表示部に表示されるメニュー画面の具体例を示す説明図である。
【図３】小口取引画面の具体例を示す説明図である。
【図４】ＩＤ番号入力画面の具体例を示す説明図である。
【図５】小口金の入出金の有効／無効設定画面の具体例を示す説明図である。
【図６】限度額入力画面の具体例を示す説明図である。
【図７】担当者管理の動作例を示すフローチャートである。
【図８】小口入金方式選択画面の具体例を示す説明図である。
【図９】小口科目Ｎｏ一覧画面の具体例を示す説明図である。
【図１０】小口科目Ｎｏ入力画面の具体例を示す説明図である。
【図１１】現金投入指示画面の具体例を示す説明図である。
【図１２】小口科目Ｎｏ一覧画面の具体例を示す説明図である。
【図１３】小口金出金額入力画面の具体例を示す説明図である。
【図１４】出金中画面の具体例を示す説明図である。
【図１５】現金受け取り指示画面の具体例を示す説明図である。
【図１６】小口入金および小口出金の動作例を示すフローチャートである。
【図１７】小口運用状況一覧画面の具体例を示す説明図である。
【図１８】小口管理方式選択画面の具体例を示す説明図である。
【図１９】日付指定画面の具体例を示す説明図である。
【図２０】取引選択画面の具体例を示す説明図である。
【図２１】小口科目Ｎｏ一覧画面の具体例を示す説明図である。
【図２２】小口科目Ｎｏ一覧画面において管理者によって小口科目Ｎｏ．００３選択ボタンが選択された場合に表示される入金履歴画面の具体例を示す説明図である。
【図２３】履歴印字中画面の具体例を示す説明図である。
【図２４】小口金の調整の動作例を示すフローチャートである。
【図２５】小口金の調整の動作例を示すフローチャートである。
【図２６】１日の売上の締めのときに作成されるレシート例を示す図である。
【図２７】回収予定額に相当する売上金を回収カセットに移動するときに作成されるレシート例を示す図である。
【図２８】回収カセットに移動された売上金が警備会社の社員によって回収されるときに作成されるレシート例を示す図である。
【発明を実施するための形態】
【００２０】
以下に添付図面を参照しながら、本発明の実施の形態について詳細に説明する。なお、本明細書及び図面において、実質的に同一の機能構成を有する構成要素については、同一の符号を付することにより重複説明を省略する。
【００２１】
また、本明細書及び図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、同一符号のみを付する。
【００２２】
＜０．導入＞
本発明の実施形態は、小売店やスーパーマーケットなどの流通施設および商業施設に設置される現金処理装置に適用される。本実施形態による現金処理装置は、例えば、レジで用いられる釣銭準備金として紙幣および硬貨を出金する釣銭出金（すなわち、準備金に対する出金）、およびレジから回収された紙幣および硬貨を入金する売上入金（すなわち、準備金に対する入金）などの処理を実行可能である。以下、このような本発明の実施形態に係る現金処理装置の構成および動作について順次詳細に説明する。
【００２３】
＜１．現金処理装置の構成＞
図１は、本発明の実施形態に係る現金処理装置１の構成を示す説明図である。図１に示したように、本実施形態に係る現金処理装置１は、紙幣投入口１０１と、紙幣一時保留部１０３と、紙幣鑑別部１０５と、万券カセット１０７と、五千券カセット１０９と、千券カセット１１１と、回収カセット１１３と、リジェクト部１１５と、硬貨投入口１１７と、硬貨鑑別部１１９と、硬貨一時保留部１２１と、硬貨返却部１２３と、出金ホッパ１２５と、硬貨回収庫１２７と、硬貨出金箱１２９と、カードリーダ部１３１と、操作表示部１３３と、制御部１５０と、記憶部１６０と、を備える。
【００２４】
紙幣投入口１０１は、現金処理装置１に入金される紙幣が投入される投入口である。また、紙幣投入口１０１は、紙幣の出金口でもあり、紙幣投入口１０１から、売上入金の取り消しにより返却される紙幣、出金される紙幣、および紙幣鑑別部１０５により正常ではないとしてリジェクトされた紙幣が出金される。
【００２５】
紙幣一時保留部１０３には、入金計数時および売上金作成時に、一時的に紙幣が集積される。また、紙幣鑑別部１０５は、投入された紙幣が正常な紙幣であるか否かを各種センサによって鑑別する。
【００２６】
万券カセット１０７、五千券カセット１０９、および千券カセット１１１は、それぞれ万券、五千券、および千券の紙幣を収納する現金収納部である。具体的には、万券カセット１０７、五千券カセット１０９、および千券カセット１１１（各紙幣カセット）には、バラ状態の各種紙幣が釣銭準備金として収納される。また、各紙幣カセットには、売上として入金され、紙幣鑑別部１０５で正常と鑑別された各種紙幣が収納される。さらに、釣銭出金時には、各紙幣カセットから各種紙幣が出金される。
【００２７】
回収カセット１１３は、売上回収のためのカセットである。具体的には、回収カセット１１３には、精算集計時に、各紙幣カセットから移動された紙幣が売上金として収納される。
【００２８】
リジェクト部１１５には、紙幣鑑別部１０５によって正常な紙幣ではないと鑑別された紙幣、すなわちリジェクトされた紙幣が集積される。具体的には、リジェクト部１１５には、売上入金時に紙幣一時保留部１０３から各紙幣カセットに紙幣を搬送する過程で紙幣鑑別部１０５によってリジェクトされた紙幣、各紙幣カセットから釣銭出金を行う過程で紙幣鑑別部１０５によってリジェクトされた紙幣、精算集計時に各紙幣カセットから回収カセット１１３に紙幣を搬送する過程で紙幣鑑別部１０５によってリジェクトされた紙幣などが集積される。
【００２９】
硬貨投入口１１７は、硬貨が投入される開口である。また、硬貨鑑別部１１９は、投入された硬貨が正常な硬貨であるか否かを各種センサによって鑑別する。さらに、硬貨一時保留部１２１には、入金計数時および精算集計時に、一時的に硬貨が集積される。
【００３０】
硬貨返却部１２３は、硬貨の返却口であり、計数が行われた硬貨、売上入金の取り消しがなされた硬貨が硬貨返却部１２３から返却される。また、出金ホッパ１２５（現金収納部）には、売上入金によって投入された各種硬貨が収納されており、釣銭出金時には出金ホッパ１２５から各種硬貨が出金される。
【００３１】
硬貨回収庫１２７は、売上回収のためのカセットである。具体的には、硬貨回収庫１２７には、精算集計時に出金ホッパ１２５から移動された硬貨が売上金として収納される。また、硬貨出金箱１２９は、釣銭出金時に硬貨を出金するための硬貨出金口である。
【００３２】
カードリーダ部１３１は、レジカードやＩＤカード等に書き込まれた情報を読み取る。レジカードやＩＤカード等に書き込まれる情報として、例えば、カードを利用する操作者を識別するための情報、および許可されている取引の種類を示す情報が挙げられる。このカードリーダ部１３１から読取られる情報が事前に登録されている情報と一致する場合、現金処理装置１の利用が制御部１５０により許可される。なお、現金処理装置１は、カードリーダ部１３１に加えて、あるいはカードリーダ部１３１に代えて、指紋認識を行う指紋認識部、または暗証番号の入力を受け付ける暗証番号入力部を有してもよい。
【００３３】
操作表示部１３３は、操作者による操作を検出する操作部としての機能、および各種画面を表示する表示部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、操作部としての機能は例えばタッチパネルにより実現される。なお、表示部および操作部の機能は分離して構成されてもよい。
【００３４】
制御部１５０は、演算処理装置であるＣＰＵ（Ｃｅｎｔｒａｌ  Ｐｒｏｃｅｓｓｉｎｇ  Ｕｎｉｔ）、ＣＰＵが使用するプログラムや演算パラメータ等を記憶するＲＯＭ（Ｒｅａｄ  Ｏｎｌｙ  Ｍｅｍｏｒｙ）、ＣＰＵの実行において使用するプログラムや、その実行において適宜変化するパラメータ等を一時記憶するＲＡＭ（Ｒａｎｄｏｍ  Ａｃｃｅｓｓ  Ｍｅｍｏｒｙ）、データ等を記憶するＨＤＤ（Ｈａｒｄ  Ｄｉｓｋ  Ｄｒｉｖｅ）装置などのデータ格納用記憶装置等で構成される。
【００３５】
この制御部１５０は、現金処理装置１の動作全般を制御する。例えば、制御部１５０は、各紙幣カセットおよび出金ホッパ１２５に収納されている現金の枚数を記憶部１６０に記憶させる管理部としての機能を包含する。制御部１５０は、レジカードやＩＤカードによる認証が終了すると、操作者が所望の処理を選択するためのメニュー画面を操作表示部１３３に表示させ、メニュー画面において操作者により選択された処理を制御する。
【００３６】
レジカードやＩＤカードによる認証（ログイン）はどのようにして行われてもよい。本実施形態においては、操作者がＩＣカードとカードリーダ部１３１とを接触させることによりログインを行う場合を主に想定する。ＩＣカードに記録されている操作者の識別情報（以下、「ＩＤ番号」とも言う。）が、記憶部１６０によってあらかじめ記憶されている操作者のＩＤ番号と一致する場合に、操作者のログインが成功する。しかし、操作者は、テンキー入力によりログインを行うことも可能である。
【００３７】
以下、図２を参照してメニュー画面の具体例を説明した上で、制御部１５０の制御により実現される各処理の概要を説明する。
【００３８】
＜２．現金処理装置が行う各種処理＞
図２は、操作表示部１３３に表示されるメニュー画面Ｇ９の具体例を示す説明図である。図２に示したように、メニュー画面Ｇ９は、「０１：釣銭出金」ボタンＢ１１、「０２：売上入金」ボタンＢ１２、「０３：計数」ボタンＢ１３、「０４：補充」ボタンＢ１４、「０５：精算集計」ボタンＢ１５、「０６：売上回収」ボタンＢ１６、「０７：精査」ボタンＢ１７、「０８：照会」ボタンＢ１８、および「０９：小口」ボタンＢ１９など、現金処理装置１が実行可能な処理と関連付けられた選択ボタンを含む。操作者は、このメニュー画面Ｇ９からの選択ボタンの選択により、所望の処理を現金処理装置１に実行させることが可能である。
【００３９】
（釣銭出金）
釣銭出金は、各紙幣カセットおよび出金ホッパ１２５から釣銭準備金を出金するための処理である。例えば、メニュー画面Ｇ９において操作者により「０１：釣銭出金」ボタンＢ１１が選択されると、操作者は、出金方法の選択画面において、金額指定出金、金種枚数指定出金およびパターン出金のいずれかを選択することができる。
【００４０】
金額指定出金においては、操作者により出金金額が指定され、制御部１５０は、事前に用意されているルールに従って各金種の出金枚数を決定してもよい。例えば、上記ルールは、各金種の出金枚数の比率を規定するものであってもよいし、各金種の出金枚数の最低数を規定するものであってもよい。
【００４１】
金種枚数指定出金においては、操作者により金種ごとの出金枚数が指定され、制御部１５０は、操作者からの指定に従って各金種の出金を制御する。パターン出金においては、制御部１５０は、１または２以上の金種ごとの出金枚数を示す事前登録された出金パターンに従って出金を制御する。
【００４２】
いずれの出金方法においても、各紙幣カセットから紙幣が排出され、当該紙幣が紙幣投入口１０１に集積される。また、出金ホッパ１２５から硬貨が繰り出され、当該硬貨が硬貨出金箱１２９に搬送される。
【００４３】
（売上入金）
売上入金は、レジから回収された紙幣および硬貨を紙幣カセットおよび出金ホッパ１２５に収納するための処理である。例えば、メニュー画面Ｇ９において操作者により「０２：売上入金」ボタンＢ１２が選択されると、制御部１５０は、紙幣投入口１０１および硬貨投入口１１７のシャッタを開放し、紙幣および硬貨の投入を誘導する入金誘導画面を操作表示部１３３に表示させる。その後、制御部１５０は、紙幣投入口１０１および硬貨投入口１１７から投入された紙幣および硬貨を計数する。ここで、紙幣鑑別部１０５により正常と判断された紙幣は紙幣一時保留部１０３に集積され、硬貨鑑別部１１９により正常と判断された硬貨は硬貨一時保留部１２１に集積される。また、紙幣鑑別部１０５によりリジェクトされた紙幣は紙幣投入口１０１から返却され、硬貨鑑別部１１９によりリジェクトされた硬貨は硬貨返却部１２３から返却される。
【００４４】
さらに、制御部１５０は、計数により得られた入金合計金額を操作表示部１３３に表示させる。そして、操作者により入金合計金額の確認操作が行われると、紙幣一時保留部１０３から紙幣カセットに紙幣が搬送され、紙幣カセットが当該紙幣を収納する。同様に、硬貨一時保留部１２１から出金ホッパ１２５に硬貨が搬送され、出金ホッパ１２５が当該硬貨を収納する。
【００４５】
（計数）
計数は、投入された紙幣および硬貨の計数を行った後、紙幣および硬貨を返却する処理である。例えば、メニュー画面Ｇ９において操作者により「０３：計数」ボタンＢ１３が選択されると、制御部１５０は、紙幣投入口１０１および硬貨投入口１１７のシャッタを開放し、紙幣および硬貨の投入を誘導する入金誘導画面を操作表示部１３３に表示させる。その後、制御部１５０は、紙幣投入口１０１および硬貨投入口１１７から投入された紙幣および硬貨を計数する。ここで、紙幣鑑別部１０５により正常と判断された紙幣は紙幣一時保留部１０３に集積され、硬貨鑑別部１１９により正常と判断された硬貨は硬貨一時保留部１２１に集積される。また、紙幣鑑別部１０５によりリジェクトされた紙幣は紙幣投入口１０１から返却され、硬貨鑑別部１１９によりリジェクトされた硬貨は硬貨返却部１２３から返却される。
【００４６】
さらに、制御部１５０は、計数により得られた入金合計金額を操作表示部１３３に表示させる。そして、操作者により入金合計金額の確認操作が行われると、紙幣一時保留部１０３の紙幣が紙幣投入口１０１から返却され、硬貨一時保留部１２１の硬貨が硬貨返却部１２３から返却される。
【００４７】
（補充）
補充は、釣銭用の紙幣および硬貨を紙幣カセットおよび出金ホッパ１２５に補充するための処理である。例えば、メニュー画面Ｇ９において操作者により「０４：補充」ボタンＢ１４が選択されると、制御部１５０は、紙幣投入口１０１および硬貨投入口１１７のシャッタを開放し、紙幣および硬貨の投入を誘導する入金誘導画面を操作表示部１３３に表示させる。そして、紙幣投入口１０１および硬貨投入口１１７に紙幣および硬貨が投入されると、制御部１５０は、投入された紙幣および硬貨を紙幣カセットおよび出金ホッパ１２５に収納するための制御を行う。
【００４８】
（精算集計）
精算集計は、それまでの出金および入金取引を集計し、売上額（入金合計−出金合計）を算出する処理である。例えば、メニュー画面Ｇ９において操作者により「０５：精算集計」ボタンＢ１５が選択されると、制御部１５０は、算出した売上額に相当する売上金のうち、高額券の紙幣を優先して紙幣カセットから回収カセット１１３に移動させ、出金ホッパ１２５から硬貨を硬貨回収庫１２７に移動させ、売上金を作成するための制御を行う。
【００４９】
（売上回収）
売上回収は、操作者による売上金の回収を可能とするための処理である。例えば、メニュー画面Ｇ９において操作者により「０６：売上回収」ボタンＢ１６が選択されると、制御部１５０は、現金処理装置１の扉を解錠し、回収カセット１１３の脱着誘導を操作表示部１３３に表示させる。回収カセット１１３が脱着され、売上金が操作者により回収され、空の回収カセット１１３がセットされると、処理が完了する。操作者は、回収した売上金を例えば金融機関などに入金する。
【００５０】
（精査）
精査は、現金処理装置１内の有高を集計するための処理である。例えば、メニュー画面Ｇ９において操作者により「０７：精査」ボタンＢ１７が選択されると、制御部１５０は、現金処理装置１の扉を解錠し、紙幣カセットからの紙幣の取り出し、および出金ホッパ１２５からの硬貨の取り出しを誘導する画面を操作表示部１３３に表示させる。その後、操作者により紙幣および硬貨の取り出しが行われ、現金処理装置１の扉が閉められると、制御部１５０は、紙幣および硬貨の投入を誘導する画面を操作表示部１３３に表示させる。
【００５１】
その後、制御部１５０は、紙幣投入口１０１および硬貨投入口１１７から投入された紙幣および硬貨を計数する。ここで、紙幣鑑別部１０５により正常と判断された紙幣は紙幣一時保留部１０３に集積され、硬貨鑑別部１１９により正常と判断された硬貨は硬貨一時保留部１２１に集積される。また、紙幣鑑別部１０５によりリジェクトされた紙幣は紙幣投入口１０１から返却され、硬貨鑑別部１１９によりリジェクトされた硬貨は硬貨返却部１２３から返却される。
【００５２】
さらに、制御部１５０は、計数により得られた合計金額を操作表示部１３３に表示させる。そして、操作者により合計金額の確認操作が行われると、紙幣一時保留部１０３から紙幣カセットに紙幣が搬送され、紙幣カセットが当該紙幣を収納する。同様に、硬貨一時保留部１２１から出金ホッパ１２５に硬貨が搬送され、出金ホッパ１２５が当該硬貨を収納する。
【００５３】
（照会）
照会は、現金処理装置１内の有高（装置内在高）および登録されている出金パターンなど、現金処理装置１の状態を操作者に示すための処理である。例えば、メニュー画面Ｇ９において操作者により「０８：照会」ボタンＢ１８が選択されると、制御部１５０は、照会に関するサブメニューを操作表示部１３３に表示させる。照会に関するサブメニューは、例えば、装置内在高の照会ボタン、および登録されている出金パターンの照会ボタンを含む。
【００５４】
上記サブメニューにおいて装置内在高の照会ボタンが選択されると、制御部１５０は、装置内在高の照会画面を操作表示部１３３に表示させる。装置内在高の照会画面においては、紙幣カセットおよび出金ホッパ１２５に収納されている現金の金種ごとの枚数が示される。また、サブメニューにおいて出金パターンの照会ボタンが選択されると、制御部１５０は、各出金パターンに対応する、金種ごとの出金枚数を示す出金パターン照会画面を操作表示部１３３に表示させる。
【００５５】
（小口）
小口は、小口金に対する各種の処理に対応する。上記したように、釣銭準備金（以下、単に「準備金」とも言う。）の入金額から出金額を減じた分は、売上金の金額（以下、「売上額」とも言う。）として算出される。一方、現金処理装置１に対して、売上とは関係のない目的（例えば、店舗内における必要経費など）で入出金が行われる場合も想定される。店舗内における必要経費としては、新聞代および備品などのような様々な経費が存在し得る。このとき、売上とは関係のない目的で、準備金に対して入出金を行ってしまうと、売上額を正確に算出することができなくなる。
【００５６】
したがって、現金処理装置１においては、準備金以外に小口金が管理されており、売上とは関係のない目的での入出金は、小口金に対して行われる。本実施形態においては、小口金が収納されるスペースは、準備金が収納されるスペースと物理的に区別されていない場合を主に想定する（小口金および準備金が共に、各紙幣カセットおよび出金ホッパ１２５に区別されずに収納される場合を想定する）。しかし、小口金が収納されるスペースは、準備金が収納されるスペースと物理的に区別されていてもよい。
【００５７】
例えば、メニュー画面Ｇ９において操作者により「０９：小口」ボタンＢ１９が選択されると、制御部１５０は、小口金に対する各種の処理のための小口取引画面を操作表示部１３３に表示させる。図３は、小口取引画面の具体例を示す説明図である。図３に示すように、小口取引画面Ｇ１０は、小口入金ボタンＢ１１１、小口出金ボタンＢ１１２、小口管理ボタンＢ１１３、担当者管理ボタンＢ１１４および小口運用状況ボタンＢ１１５を含む。これらの各ボタンが選択された場合に現金処理装置１によって実行される処理の詳細については、後に詳細に説明する。なお、以下では、操作者による図示しない戻るボタンの選択によって、直前に表示された画面が適宜表示され得る。
【００５８】
＜３．第１の実施形態＞
上記したように、現金処理装置１によって準備金が管理されるが、準備金に対する入出金は、特定の担当者に対してのみ許可されるのが一般的である。しかし、小口金の入出金は、流通施設および商業施設などの管理者のみが行うことが可能であり、流通施設および商業施設などおいて準備金に対する入出金を行う担当者が行うことはできないのが一般的である。例えば、管理者の例としては、店長などが挙げられる。担当者の例としては、店長以外の店員などが挙げられる。
【００５９】
本件発明者は、上記事情を一着眼点にして本発明の第１の実施形態を創作するに至った。本発明の第１の実施形態によれば、小口金の入出金を管理者のみではなく担当者にも行わせることが可能である。以下、当該効果を実現するための創意工夫を詳細に説明する。
【００６０】
本発明の第１の実施形態に係る制御部１５０は、記憶部１６０によって記憶されている担当者のＩＤ番号と取得部の例としてのカードリーダ部１３１によって取得された担当者のＩＤ番号とが一致する場合、小口金の入出金を行おうとする担当者による小口金の入出金を許可する。かかる構成によれば、現金処理装置１は、小口金の入出金を管理者のみではなく担当者にも行わせることが可能である。以下、本発明の第１の実施形態について詳細に説明する。
【００６１】
（担当者管理）
最初に、担当者管理について説明する。まず、上記したようにしてログインが成功した管理者は、担当者管理ボタンＢ１１４を選択することによって担当者管理を行うことが可能である。具体的に、小口取引画面Ｇ１０において管理者によって担当者管理ボタンＢ１１４が選択されると、制御部１５０は、担当者のＩＤ番号を入力するためのＩＤ番号入力画面を操作表示部１３３に表示させる。図４は、ＩＤ番号入力画面の具体例を示す説明図である。図４に示すように、ＩＤ番号入力画面Ｇ１１は、ＩＤ番号入力欄Ｔ１２１および確認ボタンＢ１１６を含む。
【００６２】
管理者がＩＤ番号入力欄Ｔ１２１にＩＤ番号を入力し、確認ボタンＢ１１６を選択すると、制御部１５０は、そのＩＤ番号に対応する担当者の小口金の入出金を有効にするか否かを設定するための画面を操作表示部１３３に表示させる。図５は、小口金の入出金の有効／無効設定画面の具体例を示す説明図である。図５に示すように、小口金の入出金の有効／無効設定画面Ｇ１２は、小口有効ボタンＢ１２１および小口無効ボタンＢ１２２を含む。
【００６３】
小口無効ボタンＢ１２２は、ＩＤ番号入力画面Ｇ１１におけるＩＤ番号入力欄Ｔ１２１に入力されたＩＤ番号に対応する担当者の小口金の入出金を無効にするためのボタンである。すなわち、小口金の入出金の有効／無効設定画面Ｇ１２において管理者によって小口無効ボタンＢ１２２が選択されると、制御部１５０は、ＩＤ番号入力欄Ｔ１２１に入力されたＩＤ番号を、小口金の入出金を無効とする（小口金の入出金が禁止される）担当者のＩＤ番号として記憶部１６０に記憶させる。その後、制御部１５０は、小口取引画面Ｇ１０を操作表示部１３３に再度表示させてよい。
【００６４】
小口有効ボタンＢ１２１は、ＩＤ番号入力画面Ｇ１１におけるＩＤ番号入力欄Ｔ１２１に入力されたＩＤ番号に対応する担当者の小口金の入出金を有効にするためのボタンである。すなわち、小口金の入出金の有効／無効設定画面Ｇ１２において管理者によって小口有効ボタンＢ１２１が選択されると、制御部１５０は、ＩＤ番号入力欄Ｔ１２１に入力されたＩＤ番号を、小口金の入出金を有効とする（小口金の入出金が許可される）担当者のＩＤ番号として記憶部１６０に記憶させる。
【００６５】
その後、制御部１５０は、当該担当者によって出金可能な小口金の限度額（小口運用限度額）を入力するための限度額入力画面を操作表示部１３３に表示させる。図６は、限度額入力画面の具体例を示す説明図である。図６に示すように、限度額入力画面Ｇ１３は、限度額入力欄Ｔ１３１および確認ボタンＢ１３１を含む。管理者が限度額入力欄Ｔ１３１に限度額を入力し、確認ボタンＢ１３１を選択すると、制御部１５０は、限度額入力欄Ｔ１３１に入力された限度額を当該担当者によって出金可能な小口金の限度額として記憶部１６０に記憶させる。
【００６６】
図７は、担当者管理の動作例を示すフローチャートである。図７に示すように、担当者管理において、制御部１５０は、管理者による登録操作（上記した例では、図４に示したＩＤ番号入力画面Ｇ１１におけるＩＤ番号入力欄Ｔ１２１にＩＤ番号を入力し、確認ボタンＢ１１６を選択する操作）に基づいて小口運用を許可する担当者を登録する（Ｓ１１）。続いて、制御部１５０は、管理者による設定操作（上記した例では、図６に示した限度額入力画面Ｇ１３における限度額入力欄Ｔ１３１に限度額を入力し、確認ボタンＢ１３１を選択する操作）に基づいて各担当者の小口運用限度額を設定する（Ｓ１２）。
【００６７】
（小口入金および小口出金）
続いて、小口金の入金について説明する。記憶部１６０は、小口金の入出金が有効とされた（小口金の入出金が許可された）担当者のＩＤ番号を記憶している。そこで、小口金を入金しようとする担当者によって「０９：小口」ボタンＢ１９が選択されると、制御部１５０は、記憶部１６０によって記憶されている、小口金の入出金が有効とされた（小口金の入出金が許可された）担当者のＩＤ番号と、カードリーダ部１３１によって取得されたＩＤ番号とが一致するか否かを判断する。
【００６８】
まず、制御部１５０によって、小口金の入出金が有効とされた（小口金の入出金が許可された）担当者のＩＤ番号と、カードリーダ部１３１によって取得されたＩＤ番号とが一致しないと判断された場合を想定する。かかる場合、制御部１５０は、小口金の入出金を行おうとする担当者（カードリーダ部１３１にＩＣカードを接触させた担当者）による小口金の入出金を禁止する。小口金の入出金の禁止はどのようにされてもよい。本実施形態では、図２に示したメニュー画面Ｇ９における「０９：小口」ボタンＢ１９が選択されても、小口取引画面Ｇ１０が表示されないようにする場合を主に想定する。
【００６９】
一方、制御部１５０によって、小口金の入出金が有効とされた（小口金の入出金が許可された）担当者のＩＤ番号と、カードリーダ部１３１によって取得されたＩＤ番号とが一致すると判断された場合を想定する。かかる場合、制御部１５０は、小口金の入出金を行おうとする担当者（カードリーダ部１３１にＩＣカードを接触させた担当者）による小口金の入出金を許可する。
【００７０】
さらに、制御部１５０は、小口金の入出金を行おうとする担当者（カードリーダ部１３１にＩＣカードを接触させた担当者）による小口金の出金を当該担当者による小口金の出金額が当該担当者の限度額に達するまで許可する。なお、限度額に期間（所定の期間）が設定されている場合には、制御部１５０は、小口金の入出金を行おうとする担当者による小口金の出金を設定期間（所定の期間）における当該担当者による小口金の出金額が限度額に達するまで許可してもよい。設定される期間の長さは特に限定されず、ある締めの時点から次の締めの時点までであってもよい。
【００７１】
小口金の入出金の許可はどのようにされてもよい。本実施形態では、図２に示したメニュー画面Ｇ９における「０９：小口」ボタンＢ１９が選択された場合に、小口取引画面Ｇ１０が表示されるようにする場合を主に想定する。
【００７２】
担当者は、小口金の入出金が許可されている場合、小口入金ボタンＢ１１１を選択することによって小口金の入金を行う。具体的に、小口取引画面Ｇ１０において担当者によって小口入金ボタンＢ１１１が選択されると、制御部１５０は、小口金の入金の方式を選択するための小口入金方式選択画面を操作表示部１３３に表示させる。図８は、小口入金方式選択画面の具体例を示す説明図である。図８に示すように、小口入金方式選択画面Ｇ１４は、小口科目選択ボタンＢ１４１および小口科目Ｎｏ入力ボタンＢ１４２を含む。小口科目の例としては、新聞代、会費、通信費などが挙げられる。
【００７３】
担当者が小口科目選択ボタンＢ１４１を選択した場合には、制御部１５０は、小口金の入金が可能な小口科目Ｎｏ一覧画面を操作表示部１３３に表示させる。図９は、小口科目Ｎｏ一覧画面の具体例を示す説明図である。図９に示すように、小口科目Ｎｏ一覧画面Ｇ１５は、小口金の入金が可能な小口科目Ｎｏの選択ボタン（図９に示した例では、小口科目Ｎｏ．００１選択ボタンＢ１５１、および、小口科目Ｎｏ．００３選択ボタンＢ１５２）を含む。この例とは異なり、選択ボタンＢ１５１には、小口科目名を表示してもよい。例えば、選択ボタンＢ１５１には、新聞代Ｎｏ．００１と表示してもよい。
【００７４】
小口科目Ｎｏの選択ボタン（図９に示した例では、小口科目Ｎｏ．００１選択ボタンＢ１５１、および、小口科目Ｎｏ．００３選択ボタンＢ１５２）は、担当者によって入金される小口金の科目を選択するためのボタンである。すなわち、小口科目Ｎｏ一覧画面Ｇ１５において担当者によって小口科目Ｎｏの選択ボタンが選択されると、制御部１５０は、選択されたボタンに対応する小口金の科目を、担当者によって入金される小口金の科目として選択し、担当者に小口金の入金を行わせる。小口金の入金については、図１１を参照しながら後に説明する。
【００７５】
図８に戻って説明を続ける。担当者が小口科目Ｎｏ入力ボタンＢ１４２を選択した場合には、制御部１５０は、担当者によって入金される小口金の科目を入力するための小口科目Ｎｏ入力画面を操作表示部１３３に表示させる。図１０は、小口科目Ｎｏ入力画面の具体例を示す説明図である。図１０に示すように、小口科目Ｎｏ入力画面Ｇ１６は、担当者によって入金される小口金の科目を入力するための小口科目Ｎｏ入力欄Ｔ１６１および確認ボタンＢ１６１を含む。
【００７６】
担当者が小口科目Ｎｏ入力欄Ｔ１６１に小口科目を入力し、確認ボタンＢ１６１を選択すると、制御部１５０は、小口科目Ｎｏ入力欄Ｔ１６１に入力された小口科目を、担当者によって入金される小口金の科目として選択し、担当者に小口金の入金を行わせる。小口金の入金は、（売上入金）において説明した、準備金に対する入金と同様に実行されてよい。ただし、制御部１５０は、小口金として入金された額を、準備金に対して入金された額とは区別して、その担当者による小口金の入金額として記憶部１６０によって記憶させる。
【００７７】
制御部１５０は、担当者に小口金を入金させるに際して、担当者への現金投入を指示するための現金投入指示画面を操作表示部１３３に表示させる。図１１は、現金投入指示画面の具体例を示す説明図である。図１１に示すように、制御部１５０は、現金投入指示画面Ｇ１７を操作表示部１３３に表示させる。図１１に示すように、現金投入指示画面Ｇ１７は、担当者への現金投入を指示するためのテキストデータを含んでもよいし、現金が投入される様子を示すアニメーションを含んでもよい。担当者は、金庫から現金を取り出して現金処理装置１に投入する。
【００７８】
続いて、小口金の出金について説明する。まず、小口金を出金しようとする担当者は、小口金を入金しようとする場合と同様に、現金処理装置１に対してログインを行う。担当者は、小口金の入出金が許可されている場合、小口出金ボタンＢ１１２を選択することによって小口金の出金を行う。具体的に、小口取引画面Ｇ１０において担当者によって小口出金ボタンＢ１１２が選択されると、制御部１５０は、小口金の出金の方式を選択するための小口出金方式選択画面を操作表示部１３３に表示させる。ここで、小口出金方式選択画面は、図８に示した小口入金方式選択画面Ｇ１４と同様の画面であってよいため、図８に示した小口入金方式選択画面Ｇ１４を用いて説明する。
【００７９】
担当者が小口科目選択ボタンＢ１４１を選択した場合には、制御部１５０は、小口金の出金が可能な小口科目Ｎｏ一覧画面を操作表示部１３３に表示させる。図１２は、小口科目Ｎｏ一覧画面の具体例を示す説明図である。図１２に示すように、小口科目Ｎｏ一覧画面Ｇ１８は、小口金の出金が可能な小口科目Ｎｏの選択ボタン（図１２に示した例では、小口科目Ｎｏ．００２選択ボタンＢ１８１、および、小口科目Ｎｏ．００３選択ボタンＢ１８２）を含む。
【００８０】
小口科目Ｎｏの選択ボタン（図１２に示した例では、小口科目Ｎｏ．００２選択ボタンＢ１８１、および、小口科目Ｎｏ．００３選択ボタンＢ１８２）は、担当者によって出金される小口金の科目を選択するためのボタンである。すなわち、小口科目Ｎｏ一覧画面Ｇ１８において担当者によって小口科目Ｎｏの選択ボタンが選択されると、制御部１５０は、選択されたボタンに対応する小口金の科目を、担当者によって出金される小口金の科目として選択し、担当者に小口金の出金を行わせる。小口金の出金については、図１５を参照しながら後に説明する。
【００８１】
図８に戻って説明を続ける。担当者が小口科目Ｎｏ入力ボタンＢ１４２を選択した場合には、制御部１５０は、担当者によって出金される小口金の科目を入力するための小口科目Ｎｏ入力画面を操作表示部１３３に表示させる。ここで、小口科目Ｎｏ入力画面は、図１０に示した小口科目Ｎｏ入力画面Ｇ１６と同様の画面であってよいため、図１０に示した小口科目Ｎｏ入力画面Ｇ１６を用いて説明する。
【００８２】
担当者が小口科目Ｎｏ入力欄Ｔ１６１に小口科目を入力し、確認ボタンＢ１６１を選択すると、制御部１５０は、小口科目Ｎｏ入力欄Ｔ１６１に入力された小口科目を、担当者によって出金される小口金の科目として選択する。続いて、制御部１５０は、小口金の出金額を入力するための小口金出金額入力画面を操作表示部１３３に表示させる。図１３は、小口金出金額入力画面の具体例を示す説明図である。図１３に示すように、小口金の残高を示す小口残高Ｄ１９１、小口金出金額入力画面Ｇ１９は、小口金の出金額を入力するための小口金出金額入力欄Ｔ１９１、および、確認ボタンＢ１９１を含む。
【００８３】
小口金出金額入力画面Ｇ１９において、担当者によって小口金出金額入力欄Ｔ１９１に小口金の出金額が入力され、確認ボタンＢ１９１が選択されると、制御部１５０は、担当者によって小口金出金額入力欄Ｔ１９１に入力された出金額に相当する小口金の出金処理を行う。このとき、制御部１５０は、小口金の出金中であることを担当者に把握させるために、小口金の出金中であることを示す出金中画面を操作表示部１３３に表示させるとよい。
【００８４】
図１４は、出金中画面の具体例を示す説明図である。図１４に示すように、制御部１５０は、出金中画面Ｇ２０を操作表示部１３３に表示させるとよい。図１４に示すように、出金中画面Ｇ２０には、小口金の出金中であることを示すテキストデータが含まれてよい。また、小口金の出金は、（釣銭出金）において説明した、準備金に対する出金と同様に実行されてよい。ただし、制御部１５０は、小口金として出金された額を、準備金に対して出金された額とは区別して、小口金の出金額として記憶部１６０によって記憶させる。
【００８５】
制御部１５０は、小口金を出金させるに際して、担当者への現金受け取りを指示するための現金受け取り指示画面を操作表示部１３３に表示させる。図１５は、現金受け取り指示画面の具体例を示す説明図である。図１５に示すように、制御部１５０は、現金受け取り指示画面Ｇ２１を操作表示部１３３に表示させる。図１５に示すように、現金受け取り指示画面Ｇ２１は、担当者への受け取りを指示するためのテキストデータを含んでもよいし、現金が受け取られる様子を示すアニメーションを含んでもよい。担当者は、現金処理装置１から受け取った現金を金庫に収納する。
【００８６】
なお、担当者は出金された小口金を消費するが、出金された小口金の一部しか消費しない場合も想定される。かかる場合には、担当者は、消費しなかった小口金を再度入金してもよい。
【００８７】
図１６は、小口入金および小口出金の動作例を示すフローチャートである。図１６に示すように、操作表示部１３３は、担当者による小口取引画面の起動操作（上記した例では、図２に示したメニュー画面Ｇ９における「０９：小口」ボタンＢ１９を選択する操作）を受け付ける（Ｓ２１）。続いて、制御部１５０は、その担当者に小口運用が許可されているか否かを判断する（Ｓ２２）。制御部１５０は、その担当者に小口運用が許可されていない場合（Ｓ２２において「ＮＯ」）、小口入金および小口出金の動作を終了する。
【００８８】
一方、制御部１５０は、その担当者に小口運用が許可されている場合には（Ｓ２２において「ＹＥＳ」）、小口取引画面Ｇ１０を操作表示部１３３に表示させる（Ｓ２３）。そして、制御部１５０は、担当者による取引操作（上記した例では、図１０に示した小口科目Ｎｏ入力画面Ｇ１６において確認ボタンＢ１６１を選択する操作、または、図１３に示した小口金出金額入力画面Ｇ１９において確認ボタンＢ１９１を選択する操作）に基づいて、小口入金または小口出金を実行する（Ｓ２４）。小口出金は、その担当者による小口金の出金額がその担当者の限度額に達するまで許可される。そして、制御部１５０は、小口入金および小口出金の動作を終了する。
【００８９】
（小口運用状況）
続いて、小口金の運用状況の確認について説明する。ログインが成功した管理者は、小口運用状況ボタンＢ１１５を選択することによって小口運用状況を確認することが可能である。具体的に、小口取引画面Ｇ１０において管理者によって小口運用状況ボタンＢ１１５が選択されると、制御部１５０は、各担当者による小口金の運用状況を示す小口運用状況一覧画面を操作表示部１３３に表示させる。
【００９０】
図１７は、小口運用状況一覧画面の具体例を示す説明図である。図１７に示すように、小口運用状況一覧画面Ｇ２２は、担当者ごとの、入金または出金を行った「日付」および「時刻」、「ＩＤ番号」、入金または出金の「種別」、入金または出金を行った「金額」、「限度額」を含む。また、小口運用状況一覧画面Ｇ２２は、上方向スクロールボタンＢ２２１および下方向スクロールボタンＢ２２２を含む。
【００９１】
（小口管理）
続いて、小口金の管理について説明する。ログインが成功した管理者は、小口管理ボタンＢ１１３を選択することによって小口金を管理することが可能である。具体的に、小口取引画面Ｇ１０において管理者によって小口管理ボタンＢ１１３が選択されると、制御部１５０は、小口金の管理の方式を選択するための小口管理方式選択画面を操作表示部１３３に表示させる。
【００９２】
図１８は、小口管理方式選択画面の具体例を示す説明図である。図１８に示すように、小口管理方式選択画面Ｇ２３は、日付指定ボタンＢ２３１、取引選択ボタンＢ２３２、小口科目選択ボタンＢ２３３および小口科目Ｎｏ入力ボタンＢ２３４を含む。
【００９３】
管理者が日付指定ボタンＢ２３１を選択した場合には、制御部１５０は、小口金の入金または出金がされた日時を指定するための日付指定画面を操作表示部１３３に表示させる。図１９は、日付指定画面の具体例を示す説明図である。図１９に示すように、日付指定画面Ｇ２４は、管理者が小口金の入出金を管理しようとする期間の開始日時入力欄Ｔ２４１、終了日時入力欄Ｔ２４２、および、確認ボタンＢ２４３を含む。
【００９４】
管理者が、開始日時入力欄Ｔ２４１に小口金の入出金を管理しようとする期間の開始日時を入力し、終了日時入力欄Ｔ２４２に小口金の入出金を管理しようとする期間の終了日時を入力し、確認ボタンＢ２４３を選択すると、制御部１５０は、その期間に行われた小口金の入出金履歴画面を操作表示部１３３に表示させる。入出金履歴画面の詳細については後に説明する。
【００９５】
図１８に戻って説明を続ける。管理者が取引選択ボタンＢ２３２を選択した場合には、制御部１５０は、小口金の取引（入金または出金）を指定するための取引選択画面を操作表示部１３３に表示させる。図２０は、取引選択画面の具体例を示す説明図である。図２０に示すように、取引選択画面Ｇ２５は、小口入金選択ボタンＢ２５１、小口出金選択ボタンＢ２５２、および、指定なしボタンＢ２５３を含む。
【００９６】
管理者が、小口入金選択ボタンＢ２５１を選択すると、制御部１５０は、小口金の入金履歴画面を操作表示部１３３に表示させる。入金履歴画面は、入出金履歴画面の入金履歴のみの画面に相当する。一方、管理者が、小口出金選択ボタンＢ２５２を選択すると、制御部１５０は、小口金の出金履歴画面を操作表示部１３３に表示させる。出金履歴画面は、入出金履歴画面の出金履歴のみの画面に相当する。管理者が、指定なしボタンＢ２５３を選択すると、制御部１５０は、小口金の入出金履歴画面を操作表示部１３３に表示させる。入出金履歴画面の詳細については後に説明する。
【００９７】
図１８に戻って説明を続ける。管理者が小口科目選択ボタンＢ２３３を選択した場合には、制御部１５０は、管理者が小口金の入出金を管理しようとする小口科目Ｎｏ一覧画面を操作表示部１３３に表示させる。図２１は、小口科目Ｎｏ一覧画面の具体例を示す説明図である。図２１に示すように、小口科目Ｎｏ一覧画面Ｇ２６は、小口金の入出金が管理可能な小口科目Ｎｏの選択ボタン（図２１に示した例では、小口科目Ｎｏ．００１選択ボタンＢ２６１、小口科目Ｎｏ．００２選択ボタンＢ２６２、小口科目Ｎｏ．００３選択ボタンＢ２６３、および、全ての科目選択ボタンＢ２６４）を含む。
【００９８】
小口科目Ｎｏ一覧画面Ｇ２６において管理者によって小口科目Ｎｏの選択ボタンが選択されると、制御部１５０は、選択されたボタンに対応する小口金の科目を、管理者によって入出金が管理される小口金の科目として選択し、管理者に小口金の入出金の管理を行わせる。制御部１５０は、選択した科目に対応する小口金の入出金履歴画面を操作表示部１３３に表示させる。入出金履歴画面の詳細については後に説明する。
【００９９】
図１８に戻って説明を続ける。管理者が小口科目Ｎｏ入力ボタンＢ２３４を選択した場合には、制御部１５０は、管理者によって入出金が管理される小口金の科目を入力するための小口科目Ｎｏ入力画面を操作表示部１３３に表示させる。ここで、小口科目Ｎｏ入力画面は、図１０に示した小口科目Ｎｏ入力画面Ｇ１６と同様の画面であってよいため、図１０に示した小口科目Ｎｏ入力画面Ｇ１６を用いて説明する。
【０１００】
管理者が小口科目Ｎｏ入力欄Ｔ１６１に小口科目を入力し、確認ボタンＢ１６１を選択すると、制御部１５０は、小口科目Ｎｏ入力欄Ｔ１６１に入力された小口科目を、管理者によって入出金が管理される小口金の科目として選択し、管理者に小口金の入出金の管理を行わせる。制御部１５０は、選択した科目に対応する小口金の入出金履歴画面を操作表示部１３３に表示させる。入出金履歴画面の詳細については後に説明する。
【０１０１】
ここで、入出金履歴画面の例として、小口科目Ｎｏ一覧画面Ｇ２６において管理者によって小口科目Ｎｏ．００３選択ボタンＢ２６３が選択された場合に表示される入金履歴画面の例を説明する。図２２は、小口科目Ｎｏ一覧画面Ｇ２６において管理者によって小口科目Ｎｏ．００３選択ボタンＢ２６３が選択された場合に表示される入金履歴画面の具体例を示す説明図である。図２２に示した例では、入金履歴画面Ｇ２７に、小口金の入金履歴のうち、小口科目が「００３」である入金履歴、および、確認ボタンＢ２７１が表示されている。
【０１０２】
具体的に、図２２に示した例では、入金履歴画面Ｇ２７に、小口金の入金がされた店舗コード「０００１」、小口金の入金を行った担当者のＩＤ番号「１１１１」、小口科目「００３」、取引通番「００２３６」、小口金の入金額を示す取引金額「１６，６６６円」、小口金の入金後の残高を示す小口残高「１６，６６６円」である入金履歴が含まれている。管理者によって確認ボタンＢ２７１が選択されると、制御部１５０は、履歴印字中画面を操作表示部１３３に表示させる。なお、ここでは、選択されている店舗の履歴が表示される場合を想定しているが、すべての店舗の履歴が一覧表示されてもよい。
【０１０３】
図２３は、履歴印字中画面の具体例を示す説明図である。図２３に示すように、履歴印字中画面Ｇ２８には、履歴を印字中であることを示すテキストデータが含まれてよい。また、図２３に示すように、履歴印字中画面Ｇ２８には、履歴の印字の進捗状況を示すアニメーションが含まれてもよい。履歴の印字が終了すると、履歴が印字された紙が排出される。
【０１０４】
（小口金の調整）
担当者が小口金の入金または出金を行うと、小口金に過不足が生じる。そこで、管理者は、１日の売上を締めるときに小口金の過不足を調整する。例えば、管理者は、上記した小口運用状況一覧画面において小口金の入出金の状況を確認し、小口金が増加していれば、小口金の増分に相当する額の小口金を出金し、小口金が減少していれば、小口金の減分に相当する額の小口金を入金する。なお、例えば、小口金として支払う額よりも返金された額が多い場合などには、小口金が増加し得る。管理者による小口金の入出金は、担当者による小口金の入出金と同様になされてよい。
【０１０５】
例えば、小口金の減分は、小口金の出金額から入金額を減じることによって算出される（小口金の増分は、小口金の入金額から出金額を減じることによって算出される）。ここでは、管理者によって小口金の減分または増分が算出される場合を想定するが、小口金の減分または増分は、制御部１５０によって算出されてもよい。このとき、制御部１５０は、算出した小口金の減分または増分を、操作表示部１３３に表示させてもよい。小口金の減分または増分はどこに表示されてもよいが、例えば、小口運用状況一覧画面Ｇ２２に表示されてもよい。あるいは、制御部１５０は、算出した小口金の減分または増分をレシートに印字してもよい。
【０１０６】
図２４は、小口金の調整の動作例を示すフローチャートである。図２４に示すように、操作表示部１３３は、管理者による小口運用状況の確認操作（上記した例では、図３に示した小口取引画面Ｇ１０における小口運用状況ボタンＢ１１５を選択する操作）を受け付ける（Ｓ３１）。続いて、制御部１５０は、各担当者による小口金の運用状況を示す小口運用状況一覧画面Ｇ２２を操作表示部１３３に表示させる（Ｓ３２）。管理者は、小口運用状況一覧画面Ｇ２２を確認すると、取引操作に基づいて小口金の過不足を調整する（Ｓ３３）。
【０１０７】
具体的に、管理者は、上記した小口運用状況一覧画面Ｇ２２において小口金の入出金の状況を確認し、小口金が増加していれば、小口金の増分に相当する額の小口金を出金する取引操作を行う。一方、管理者は、小口金が減少していれば、小口金の減分に相当する額の小口金を入金する取引操作を行う。そして、制御部１５０は、小口金の調整の動作を終了する。
【０１０８】
（効果）
本発明の第１の実施形態によれば、小口金の入出金を管理者のみではなく担当者にも行わせることが可能となる。また、本発明の第１の実施形態によれば、小口運用状況画面が表示されることによって、管理者は、各担当者による小口金の運用状況を確認することが可能となる。
【０１０９】
以上、本発明の第１の実施形態について説明した。
【０１１０】
＜４．第２の実施形態＞
続いて、本発明の第２の実施形態について説明する。本発明の第１の実施形態においては、管理者が小口金の過不足を調整する例を説明した。本発明の第２の実施形態においては、小口金の減分がある場合、売上額から小口金の減分を差し引いた額を、現金処理装置１から回収される売上金の金額（以下、「収納予定額」または「回収予定額」とも言う。）として算出する。以下、本発明の第２の実施形態について詳細に説明する。
【０１１１】
（小口金の調整）
本発明の第１の実施形態において説明したように、担当者が小口金の入金または出金を行うと、小口金に過不足が生じる。そこで、メニュー画面Ｇ９において操作者により「０６：売上回収」ボタンＢ１６が選択されると、制御部１５０は、小口金の減分を売上額から差し引くことによって回収予定金額を算出し、回収予定額に相当する金額の売上金を、回収カセット１１３に移動させる。回収カセット１１３に移動された売上金は、警備会社の社員によって回収される。これによって、１日の売上を締めるたびに小口金を調整する必要がなくなる。
【０１１２】
また、小口金の減分のすべてが売上額から差し引けるとは限らない。そこで、制御部１５０は、小口金の減分が売上額以下である場合、小口金の減分を売上額から差し引くことによって回収予定金額を算出してよい。一方、制御部１５０は、小口金の減分が売上額より大きい場合、回収予定金額をゼロにするとともに、小口金の減分のうち売上額を上回る額を準備金の金額から差し引いてよい。
【０１１３】
小口金の減分のうち売上額を上回る額が準備金の金額から差し引かれることによって、準備金を調整する必要が生じる。しかし、小口金は１日の売上を締めるたびに調整する必要がある一方、準備金の調整は売上金が回収されるときに調整されれば済む。そのため、準備金の調整のほうが小口金の調整よりも必要な手間が軽減される。
【０１１４】
図２５は、小口金の調整の動作例を示すフローチャートである。図２５に示すように、操作表示部１３３は、管理者による小口運用状況の確認操作（上記した例では、図３に示した小口取引画面Ｇ１０における小口運用状況ボタンＢ１１５を選択する操作）を受け付ける（Ｓ４１）。続いて、制御部１５０は、各担当者による小口金の運用状況を示す小口運用状況一覧画面Ｇ２２を操作表示部１３３に表示させる（Ｓ４２）。
【０１１５】
続いて、制御部１５０は、売上額が小口金の減分以上である場合（Ｓ４３において「ＹＥＳ」）、売上額から小口金の減分を差し引いた額を収納予定額として算出する（Ｓ４４）。一方、制御部１５０は、売上額が小口金の減分未満である場合（Ｓ４３において「ＮＯ」）、収納予定額をゼロとし（Ｓ４５）、小口金の減分のうち売上額を上回る額（不足額）を準備金の金額から差し引く（Ｓ４６）。そして、制御部１５０は、小口金の調整の動作を終了する。
【０１１６】
（レシート例）
続いて、現金処理装置１によって作成されるレシート例を説明する。図２６は、１日の売上の締めのときに作成されるレシート例を示す図である。図２６を参照すると、売上締め時レシートＲ１が作成されている。図２６に示すように、売上締め時レシートＲ１には、小口金の入金計および出金計が印字されてよい。また、「入金」から「合計出金」を差し引かれた額が「現金売上計」として印字され、「現金売上計」から小口金の減分（＝「小口入金計」から「小口出金計」を減じて得られる額）を差し引いた額が「売上収納計」＝「収納予定額」として印字されている。
【０１１７】
図２７は、回収予定額に相当する売上金を回収カセットに移動するときに作成されるレシート例を示す図である。図２７を参照すると、売上金移動時レシートＲ２が作成されている。売上金移動時レシートＲ２が作成されることによって、回収カセットに移動される売上金がどのように作成されたかが、現金処理装置１が設置されている流通施設および商業施設に残される。図２７に示すように、売上金移動時レシートＲ２には、小口金の入金計および出金計は印字されなくてよい。
【０１１８】
図２８は、回収カセットに移動された売上金が警備会社の社員によって回収されるときに作成されるレシート例を示す図である。図２８を参照すると、売上金回収時レシートＲ３が作成されている。警備会社の社員は、売上金回収時レシートＲ３を、回収カセットとともに警備会社に持ち帰る。図２８に示すように、売上金回収時レシートＲ３には、小口金の入金計および出金計は印字されなくてよい。
【０１１９】
（効果）
本発明の第２の実施形態によれば、１日の売上を締めるたびに小口金を調整する必要がなくなる。また、本発明の第２の実施形態によれば、小口金の減分のうち売上額を上回る額が準備金の金額から差し引かれることによって、準備金を調整する必要が生じるが、準備金の調整のほうが小口金の調整よりも必要な手間が軽減される。
【０１２０】
＜５．むすび＞
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１２１】
例えば、上記では、担当者によって出金可能な小口金の限度額が担当者ごとに設定される例を説明した。しかし、小口金の限度額は、複数の担当者に対して単一の限度額が設定されてもよい。あるいは、小口金の限度額は設定されていなくてもよい。
【０１２２】
また、上記では、限度額に達したか否かの判断に利用される出金額が、担当者による小口金の出金額そのものである場合を想定した。しかし、担当者が小口金の入金を行った場合には、その担当者による小口金の出金額が入金の分だけ回復されてもよい。すなわち、制御部１５０は、小口金の入出金を行おうとする担当者による小口金の入金が過去に行われた場合、その入金に相当する額の出金がなかったとした場合における出金額が限度額に達したか否かを判断してもよい。
【０１２３】
また、上記では、担当者によって出金可能な小口金には限度額が設けられている例を主に説明した。しかし、限度額が設けられていたとしても、担当者によって所定の金額よりも大きな金額の小口金が一度に出金される場合も想定される。管理者は、小口運用状況一覧画面などにおいて、所定の金額よりも大きな金額の小口金を一度に出金した担当者を見つけた場合には、その担当者に大きな金額の小口金を出金した事情を聴くようにしてもよい。例えば、担当者は、所定の金額よりも大きな金額の小口金を出金したい場合には、管理者から管理者のＩＤカードを受け取り、管理者のＩＤカードでログインした後に出金すればよい。
【０１２４】
また、上記では、制御部１５０が、担当者によって出金可能な小口金の限度額そのものを操作表示部１３３に表示させる例を主に説明した。しかし、制御部１５０は、限度額の代わりに、あるいは、限度額に追加して、その担当者による小口金の出金額がその担当者に設定された限度額から減じられた金額（その担当者によって出金可能な小口金の残高）を操作表示部１３３に表示させてもよい。
【０１２５】
また、本発明の第２の実施形態においては、小口金の減分のうち売上額を上回る額が準備金の金額から差し引かれる例を説明した。このとき、準備金の金額から差し引かれる処理が（意図的に、あるいは、操作ミスによって）何度も実行され、準備金がある下限値を下回ってしまうことも想定される。かかる場合には、制御部１５０は、所定の警告メッセージを含む警告画面を操作表示部１３３に表示させてもよい。
【０１２６】
例えば、本明細書の現金処理装置１の処理における各ステップは、必ずしもフローチャートとして記載された順序に沿って時系列に処理する必要はない。例えば、現金処理装置１の処理における各ステップは、フローチャートとして記載した順序と異なる順序で処理されても、並列的に処理されてもよい。
【０１２７】
また、現金処理装置１に内蔵されるＣＰＵ、ＲＯＭおよびＲＡＭなどのハードウェアに、上述した現金処理装置１の各構成と同等の機能を発揮させるためのコンピュータプログラムも作成可能である。また、該コンピュータプログラムを記憶させた記憶媒体も提供される。
【符号の説明】
【０１２８】
１      現金処理装置
１０１  紙幣投入口
１０３  紙幣一時保留部
１０５  紙幣鑑別部
１０７  万券カセット
１０９  五千券カセット
１１１  千券カセット
１１３  回収カセット
１１５  リジェクト部
１１７  硬貨投入口
１１９  硬貨鑑別部
１２１  硬貨一時保留部
１２３  硬貨返却部
１２５  出金ホッパ
１２７  硬貨回収庫
１２９  硬貨出金箱
１３１  カードリーダ部
１３３  操作表示部
１５０  制御部
１６０  記憶部
【図１】
2018206056.tif 000003
【図２】
2018206056.tif 000004
【図３】
2018206056.tif 000005
【図４】
2018206056.tif 000006
【図５】
2018206056.tif 000007
【図６】
2018206056.tif 000008
【図７】
2018206056.tif 000009
【図８】
2018206056.tif 000010
【図９】
2018206056.tif 000011
【図１０】
2018206056.tif 000012
【図１１】
2018206056.tif 000013
【図１２】
2018206056.tif 000014
【図１３】
2018206056.tif 000015
【図１４】
2018206056.tif 000016
【図１５】
2018206056.tif 000017
【図１６】
2018206056.tif 000018
【図１７】
2018206056.tif 000019
【図１８】
2018206056.tif 000020
【図１９】
2018206056.tif 000021
【図２０】
2018206056.tif 000022
【図２１】
2018206056.tif 000023
【図２２】
2018206056.tif 000024
【図２３】
2018206056.tif 000025
【図２４】
2018206056.tif 000026
【図２５】
2018206056.tif 000027
【図２６】
2018206056.tif 000028
【図２７】
2018206056.tif 000029
【図２８】
2018206056.tif 000030